(57)【要約】【課題】  故障に対応するための情報または引越しの際の各種届出先の機関の情報を位置情報に従い提示する。【解決手段】  メモリ１５０には、各地域に対応してテレビジョン装置１００の故障に対応してくれる当該地域の店舗の情報と、引越し時の各種届出をするための当該地域の各種届出先機関の情報が予め格納される。位置判定部２０２は、ＧＰＳ信号処理部２０１を介して受信したＧＰＳ信号に基づきテレビジョン装置１００の現在位置を判定する。メッセージ処理部２０は、判定された現在位置に基づきメモリ１５０を検索して、該当する地域の故障対応店舗情報または届出先機関の情報を読出して、表示部１７０に提示する。メモリ１５０からいずれの情報を読出すかは、ユーザのリモコン操作によるリモコン信号１２１により指定される。【選択図】        図１
2006322769.tif 000002
【特許請求の範囲】
【請求項１】
ＧＰＳ信号を受信する受信部と、情報を出力する出力部とを備えるＧＰＳ機能を有するテレビジョン装置であって、
前記受信部で受信したＧＰＳ信号に基づき現在位置を判定する位置判定手段と、
複数の位置データのそれぞれに対応して、当該位置データで示される地域の情報が予め格納された情報記憶手段と、
前記位置判定手段により判定された前記現在位置を示す前記位置データに対応の前記地域の情報を、前記情報記憶手段から読出して前記出力部を介して出力する情報出力手段と、を備えて、
前記地域の情報は、前記テレビジョン装置の故障に対処するための当該地域の店舗の情報であり、前記店舗の情報は、当該店舗の名称、住所、連絡先および営業時間のデータを含む、ＧＰＳ機能を有するテレビジョン装置。
【請求項２】
ＧＰＳ信号を受信する受信部と、情報を出力する出力部とを備えるＧＰＳ機能を有するテレビジョン装置であって、
前記受信部で受信したＧＰＳ信号に基づき現在位置を判定する位置判定手段と、
複数の位置データのそれぞれに対応して、当該位置データで示される地域の情報が予め格納された情報記憶手段と、
外部電源に接続されて、当該外部電源からの電力を前記テレビジョン装置の各部に供給する電力供給部と、
前記電力供給部と前記外部電源との接続が断たれて前記各部への電力供給が停止してから、その後に前記電力供給部と前記外部電源との接続がされるまでの電力断期間を計る計時手段と、
前記計時手段により計られた前記電力断期間が所定期間以上を示すことに応じて、前記位置判定手段により判定された前記現在位置を示す前記位置データに対応の前記地域の情報を、前記情報記憶手段から読出して前記出力部を介して出力する情報出力手段と、を備えて、
前記地域の情報は、引越しの際の各種届け出先である当該地域の機関に関する機関情報であり、前記機関情報は、届け出先の機関の名称、住所、連絡先および営業時間のデータを含む、ＧＰＳ機能を有するテレビジョン装置。
【請求項３】
ＧＰＳ信号を受信する受信部と、情報を出力する出力部とを備えるＧＰＳ機能を有する電子機器であって、
前記受信部で受信したＧＰＳ信号に基づき現在位置を判定する位置判定手段と、
複数の位置データのそれぞれに対応して、当該位置データで示される地域の情報が予め格納された情報記憶手段と、
前記位置判定手段により判定された前記現在位置を示す前記位置データに対応の前記地域の情報を、前記情報記憶手段から読出して前記出力部を介して出力する情報出力手段と、を備えて、
前記地域の情報は、前記電子機器の故障に対処するための当該地域の店舗の情報であることを特徴とする、ＧＰＳ機能を有する電子機器。
【請求項４】
前記店舗の情報は、当該店舗の名称、住所、連絡先および営業時間のデータを含む、請求項３に記載のＧＰＳ機能を有する電子機器。
【請求項５】
ＧＰＳ信号を受信する受信部と、情報を出力する出力部とを備えるＧＰＳ機能を有する電子機器であって、
前記受信部で受信したＧＰＳ信号に基づき現在位置を判定する位置判定手段と、
複数の位置データのそれぞれに対応して、当該位置データで示される地域の情報が予め格納された情報記憶手段と、
前記位置判定手段により判定された前記現在位置を示す前記位置データに対応の前記地域の情報を、前記情報記憶手段から読出して前記出力部を介して出力する情報出力手段と、を備えて、
前記地域の情報は、引越しの際の各種届け出先である当該地域の機関に関する機関情報であることを特徴とする、ＧＰＳ機能を有する電子機器。
【請求項６】
前記機関情報は、届け出先の機関の名称、住所、連絡先および営業時間のデータを含む、請求項５に記載のＧＰＳ機能を有する電子機器。
【請求項７】
前記電子機器は、テレビジョン装置である、請求項３から６のいずれか１項に記載のＧＰＳ機能を有する電子機器。
【請求項８】
外部電源に接続されて、当該外部電源からの電力を前記電子機器の各部に供給する電力供給部と、
前記電力供給部と前記外部電源との接続が断たれて前記各部への電力供給が停止してから、その後に前記電力供給部と前記外部電源との接続がされるまでの電力断期間を計る計時手段とをさらに備え、
前記計時手段により計られた前記電力断期間が所定期間以上を示すことに応じて、前記情報出力段は、前記位置判定手段によって判定された前記現在位置を示す前記位置データに対応の前記地域の情報を、前記情報記憶手段から読出して前記出力部を介して出力する、請求項５から７のいずれか１項に記載のＧＰＳ機能を有する電子機器。
【請求項９】
ＧＰＳ信号を受信する受信部と、情報を出力する出力部とを備えるＧＰＳ機能を有するテレビジョン装置における情報提示方法であって、
前記受信部で受信したＧＰＳ信号に基づき現在位置を判定する位置判定ステップと、
複数の位置データのそれぞれに対応して、当該位置データで示される地域の情報が予め格納された情報記憶手段から、前記位置判定ステップにより判定された前記現在位置を示す前記位置データに対応の前記地域の情報を読出して、前記出力部を介して出力する情報出力ステップと、を備えて、
前記地域の情報は、前記テレビジョン装置の故障に対処するための当該地域の店舗の情報であるり、前記店舗の情報は、当該店舗の名称、住所、連絡先および営業時間のデータを含む、情報提示方法。
【請求項１０】
ＧＰＳ信号を受信する受信部と、情報を出力する出力部とを備えるＧＰＳ機能を有するテレビジョン装置における情報提示方法であって、
前記受信部で受信したＧＰＳ信号に基づき現在位置を判定する位置判定ステップと、
外部電源に接続されて、当該外部電源からの電力を前記テレビジョン装置の各部に供給する電力供給部と前記外部電源との接続が断たれて前記各部への電力供給が停止してから、その後に前記電力供給部と前記外部電源との接続がされるまでの電力断期間を計る計時ステップと、
前記計時ステップにより計られた前記電力断期間が所定期間以上を示すことに応じて、前記位置判定ステップにより判定された前記現在位置を示す前記位置データに対応の前記地域の情報を、複数の位置データのそれぞれに対応して当該位置データで示される地域の情報が予め格納された情報記憶手段から読出して、前記出力部を介して出力する情報出力ステップと、を備えて、
前記地域の情報は、引越しの際の各種届け出先である当該地域の機関に関する機関情報であり、前記機関情報は、届け出先の機関の名称、住所、連絡先および営業時間のデータを含む、情報提示方法。
【請求項１１】
ＧＰＳ信号を受信する受信部と、情報を出力する出力部とを備えるＧＰＳ機能を有する電子機器における情報提示方法であって、
前記受信部で受信したＧＰＳ信号に基づき現在位置を判定する位置判定ステップと、
前記位置判定ステップにより判定された前記現在位置を示す前記位置データに対応の前記地域の情報を、複数の位置データのそれぞれに対応して、当該位置データで示される地域の情報が予め格納された情報記憶手段から読出して前記出力部を介して出力する情報出力ステップと、を備えて、
前記地域の情報は、前記電子機器の故障に対処するための当該地域の店舗の情報であることを特徴とする、情報提示方法。
【請求項１２】
ＧＰＳ信号を受信する受信部と、情報を出力する出力部とを備えるＧＰＳ機能を有する電子機器における情報提示方法であって、
前記受信部で受信したＧＰＳ信号に基づき現在位置を判定する位置判定ステップと、
前記位置判定手段により判定された前記現在位置を示す前記位置データに対応の前記地域の情報を、複数の位置データのそれぞれに対応して、当該位置データで示される地域の情報が予め格納された情報記憶手段から読出して、前記出力部を介して出力する情報出力ステップと、を備えて、
前記地域の情報は、引越しの際の各種届け出先である当該地域の機関に関する機関情報であることを特徴とする、情報提示方法。
【発明の詳細な説明】
【技術分野】
【０００１】
この発明はＧＰＳ(Global Positioning System）機能を有する電子機器およびテレビジョン装置、ならびに情報提示方法に関し、特に、ＧＰＳ機能により取得された情報に関連付けられたデータを表示する電子機器およびテレビジョン装置、ならびに情報提示方法に関する。
【背景技術】
【０００２】
近年は、電化製品にＧＰＳ機能を有する製品が提案されている。たとえば、特許文献１には、位置情報と地域情報とを結び付け、地域間の移動に対応して適切な地域情報をユーザに対して出力する機能を有する電子機器が提案されている。また、特許文献２には、使用者が日常の行動においても、ＧＰＳから得られる数多くの緯度・経度の位置情報をその都度取捨選択する操作を必要とせず、現在地や目的地の確認などを行なうことができるＧＰＳ機能を有する電子機器が示されている。特許文献３には、ＧＰＳ受信機能が付いた半導体メモリ装置が着脱自在に装着される電子機器が示されている。
【特許文献１】特開平１１−１０８６８５号公報
【特許文献２】特開２００１−１４１５０６号公報
【特許文献３】特開２００１−１４３０４０号公報
【発明の開示】
【発明が解決しようとする課題】
【０００３】
ユーザはＧＰＳ機能を有した電子機器を介してＧＰＳ機能の特徴を活かした各種情報の提供を望んでいる。たとえば、精密ゆえに一旦故障するとユーザでは修復することが不可能でメーカのサービス店に連絡して対応してもらうことがほとんどであったが、故障発生時には、最寄りのサービス店に連絡するための情報を速やかに得たいというユーザの要望があった。また、引越しなどして居住地が変更した場合には、変更の届けが必要な機関は何でるか、またどこにあるかをいちいちユーザが確認するのは煩わしい。そこで、ユーザ側では、このような情報をユーザ自身が所有する電子機器の情報提示機能を介して提示してほしいとの要望があった。
【０００４】
その一方で、この種の情報は、従来はインターネットを介して、所定ホームページを検索することで閲覧可能であったので、メーカ側はコンピュータ端末を除いた家電製品などの一般的な電子機器を介して、この種の情報を提供することへの動機付けに乏しかったのが実情である。
【０００５】
それゆえに、上述した各特許文献でも、ＧＰＳ受信機能を電子機器に搭載して、電子機器の現在位置を得て、電子機器がユーザにより携帯された移動するがゆえに移動に連動して異動先の地域情報を選択的に提示するけれども、電子機器が故障した場合に、電子機器の現在位置と故障に対応するための情報とを結びつけて、または、引越しの際の届出機関の情報と現在位置情報とを結び付けて、情報を提示するという機能はなんら示されていない。
【０００６】
この発明の目的は、故障に対応するための情報を、位置情報に従い提示することができる、ＧＰＳ機能を有する電子機器およびテレビジョン装置、ならびに情報提示方法を提供することである。
【０００７】
この発明の他の目的は、引越しに際しての各種届け出に対応するための情報を、電子機器の位置情報に従い提示することができる、ＧＰＳ機能を有する電子機器およびテレビジョン装置、ならびに情報提示方法を提供することである。
【課題を解決するための手段】
【０００８】
この発明のある局面に従うと、ＧＰＳ信号を受信する受信部と、情報を出力する出力部とを備えるＧＰＳ機能を有する電子機器は、受信部で受信したＧＰＳ信号に基づき現在位置を判定する位置判定手段と、複数の位置データのそれぞれに対応して、当該位置データで示される地域の情報が予め格納された情報記憶手段と、位置判定手段により判定された現在位置を示す前記位置データに対応の地域の情報を、情報記憶手段から読出して出力部を介して出力する情報出力手段と、を備えて、地域の情報は、電子機器の故障に対処するための当該地域の店舗の情報である。
【０００９】
したがって、当該電子機器のＧＰＳ機能を用いて位置判定手段が判定した現在位置の地域にある故障に対処するための店舗の情報が出力されるから、電子機器の故障に対応するための地元の店舗の情報を得ることができる。
【００１０】
好ましくは、店舗の情報は、当該店舗の名称、住所、連絡先および営業時間のデータを含むので、出力された情報を確認することで、ユーザにとって都合のよい店舗を選択することができる。
【００１１】
この発明の他の局面に従うと、ＧＰＳ信号を受信する受信部と、情報を出力する出力部とを備えるＧＰＳ機能を有する電子機器は、受信部で受信したＧＰＳ信号に基づき現在位置を判定する位置判定手段と、複数の位置データのそれぞれに対応して、当該位置データで示される地域の情報が予め格納された情報記憶手段と、位置判定手段により判定された現在位置を示す位置データに対応の地域の情報を、情報記憶手段から読出して出力部を介して出力する情報出力手段と、を備えて、地域の情報は、引越しの際の各種届け出先である当該地域の機関に関する機関情報である。
【００１２】
したがって、当該電子機器のＧＰＳ機能を用いて位置判定手段が判定した現在位置の地域にある引越しの際の各種届け出先である当該地域の機関に関する機関情報を得ることができる。
【００１３】
好ましくは、機関情報は、届け出先の機関の名称、住所、連絡先および営業時間のデータを含むので、出力された情報を確認することで、ユーザは届出が必要な機関を選択することができる。
【００１４】
好ましくは、電子機器は、テレビジョン装置であるから、身近な家電製品であるテレビジョン装置を介して上述の情報を得ることができる。
【００１５】
好ましくは、外部電源に接続されて、当該外部電源からの電力を電子機器の各部に供給する電力供給部と、電力供給部と外部電源との接続が断たれて各部への電力供給が停止してから、その後に電力供給部と前記外部電源との接続がされるまでの電力断期間を計る計時手段とをさらに備え、計時手段により計られた電力断期間が所定期間以上を示すことに応じて、情報出力段は、位置判定手段によって判定された現在位置を示す位置データに対応の地域の情報を、情報記憶手段から読出して出力部を介して出力する。
【００１６】
したがって、引越ししたことは、所定期間以上、外部電源からの電力供給が停止してて、その後に外部電源と接続されて電力供給が開始されることで判定できる。それゆえに、引越し先で電子機器に外部電源を接続して電力供給を再開した場合には、ユーザに対して自動的に、引越しの際の各種届け出先である引越し先の地域の機関に関する機関情報を得ることができる。
【発明の効果】
【００１７】
本発明によれば、当該電子機器のＧＰＳ機能を用いて位置判定手段が判定した現在位置の地域にある故障に対処するための店舗の情報が出力されるから、電子機器の故障に対応するための地元の店舗の情報を得ることができる。
【００１８】
また、当該電子機器のＧＰＳ機能を用いて位置判定手段が判定した現在位置の地域にある引越しの際の各種届け出先である当該地域の機関に関する機関情報を得ることができる。
【発明を実施するための最良の形態】
【００１９】
以下、この発明の実施の形態について図面を参照し詳細に説明する。ここでは、ＧＰＳ機能を有する電子機器としてテレビジョン装置を例示するが、これに限定されない。たとえば、ビデオテープの録再機能も搭載して映像の表示先をテレビジョン装置とするような装置または光ディスク・磁気ディスクの録再機能を搭載して映像の表示先をテレビジョン装置とするような装置に適用することも可能である。
【００２０】
図１を参照して、本実施の形態に係るテレビジョン装置１００は、テレビジョン信号を受信するためのアンテナ１９０、ＧＰＳ信号を受信するためのアンテナ２００を外部に接続し、また外部から与えられる指示入力を入力するための入力部１３０、外部からのリモコン信号１２１を入力するための赤外線受光部１２０、テレビジョン装置１００の電源を制御するための電源部１４０、テレビジョン装置１００の各部を集中的に制御および管理するためのマイクロコンピュータなどからなる制御部１１０、時間を計測して計測した時間データを制御部１１０に与える計時回路１２６、アンテナ１９０を介して受信したテレビジョン信号から、制御部１１０により指定されるチャンネルに応じた信号を選択的に抽出して出力するチューナ１６０、チューナ１６０から出力された音声信号を増幅する増幅部１６４、増幅部１６４により増幅された音声信号を出力するスピーカ１７２を備える。
【００２１】
電源部１４０は、外部の電源部に接続される。つまり、電源部１４０は外部の商用電源のコンセントに挿入されるプラグを有し、プラグがコンセントに挿入（接続）または引き抜き（接続断）されたことを検知すると、その検知信号を制御部１１０に出力するとともに、挿入されたことに応じてテレビジョン装置１００の商用電源からの電力を供給する。なお、電源部１４０のプラグがコンセントから抜かれた状態では、電源部１４０を介した電力供給は断たれる（停止する）ので制御部１１０および計時回路１２６には電源部１４０からの電力に代替して補助用の電力が供給される。この補助用の電力供給のために補助バッテリ１２７が設けられる。補助バッテリ１２７は充電可能であり、通常は電源部１４０からの電力を受けて充電されるので、プラグがコンセントから抜かれた状態が長期間続いても、その期間、制御部１５０および計時回路１２６に電力を安定的に供給することが可能となっている。
【００２２】
さらに、テレビジョン装置１００は、制御部１１０から出力されたデジタルデータを入力して、入力したデジタルデータに基づく画像信号を出力するＯＳＤ画像生成部１８０、制御部１１０から出力された映像信号とＯＳＤ画像生成部１８０から出力された画像信号とを入力し、両者を合成して出力する合成部１６２、合成部１６２から出力された映像信号に基づく画面を表示するための表示部１７０を備える。
【００２３】
さらに、テレビジョン装置１００は、アンテナ２００を介して受信したＧＰＳ信号を処理して制御部１１０に出力するＧＰＳ信号処理部２０１を備える。チューナ１６０は、受信したテレビジョン放送信号から選択的に抽出した信号のうち当該信号を構成する映像信号は制御部１１０に与え、音声信号は増幅部１６４に与える。制御部１１０は、チューナ１６０から与えられた映像信号を所定信号処理して、合成部１６２に与える。合成部１６２は、制御部１１０から与えられる映像信号に、ＯＳＤ画像生成部１８０から与えられる画像信号を合成し出力するか、ＯＳＤ画像生成部１８０から画像信号が与えられない場合は映像信号のみを出力する。
【００２４】
制御部１１０は、表示部１７０にＯＳＤ画像生成部１８０を介して表示するためのメッセージ処理部２０３、ＧＰＳ信号処理部２０１から出力されるＧＰＳ信号に基づき当該テレビジョン装置１００の位置を判定するための位置判定部２０２、電源部１４０から入力した検知信号に基づき、電源部１４０のプラグがコンセントに挿入されたか、または抜かれたかを判定するパワー判定部２０４および各種データおよびプログラムを格納するためのメモリ１５０を含む。メモリ１５０は、電源部１４０または補助バッテリ１２７から供給される電力により、その記憶内容が常に保持されるようなメモリである。メモリ１５０には、計時データＴ、閾値データＴＨおよびモードデータＭ、ならびに各種テーブルが格納される。
【００２５】
図２には、メモリ１５０に格納されるテーブルの内容例が示される。メモリ１５０には、メインテーブル１５１、複数のサブテーブル１５２および複数のサブテーブル１５３が格納される。これらテーブルの内容は、テレビジョン装置１００の工場出荷時などの時点において予めメモリ１５０に書込まれると想定する。
【００２６】
メインテーブル１５１の複数レコードＲ１のそれぞれは、位置情報Ｄ１、市町村データＤ２、故障モードデータＤ３および故障モードデータＤ４を対応付けて含む。位置情報Ｄ１はＧＰＳ信号処理部２０１から与えられる信号に基づき示されるテレビジョン装置１０の位置（経度・緯度）を示す。市町村データＤ２は、対応の位置情報Ｄ１が示す位置に該当する市町村の名称を示す。故障モードデータＤ３は、テレビジョン装置１００の故障モードを識別するための情報を示し、当該識別情報に基づきサブテーブル１５２のテーブル名ＭＡｉ（ｉ＝１，２，３，・・・）が一意に特定される。引越しモードデータＤ４は、引越しモードを識別するための情報を示し、当該識別情報に基づきサブテーブル１５３のテーブル名ＭＢｊ（ｊ＝１，２，３，・・・）が一意に特定される。したがって、メインテーブル１５１では、位置情報Ｄ１に基づきデータＤ２が示す市町村名を一意に特定できる。また、位置情報Ｄ１とデータＤ３またはＤ４が示すモードの別とにより、サブテーブル１５２または１５３のテーブル名ＭＡｉまたはＭＢｉを一意に特定できる。
【００２７】
各サブテーブル１５２は、故障モードデータＤ３が示す故障モードの別に応じて予め準備される。サブテーブル１５２は、テーブル名ＡＤ０と、テレビジョン装置１００が故障した場合の故障に対応してくれる複数の店舗それぞれについてレコードＲ２を含む。各レコードＲ２には、当該レコードに対応の店舗についての、店舗名のデータＡＤ１、住所のデータＡＤ２、連絡先（電話番号、ファックス番号など）のデータＡＤ３ならびに営業時間データＡＤ４を対応付けて含む。
【００２８】
各サブテーブル１５３は、故障モードデータＤ４が示す故障モードの別に応じて予め準備される。サブテーブル１５３は、テーブル名ＢＤ０と、引越し時の各種届け出をすべき複数の機関のそれぞれについてレコードＲ３を含む。各レコードＲ３は、対応する機関の機関名のデータＢＤ１、住所のデータＢＤ２、連絡先のデータＢＤ３および営業時間のデータＢＤ４を対応付けて含む。機関名データＢＤ１は、市役所、保健所、電力支所、電話支所などの引越しの際に（転入・転出の際に）届出の手続きをすべき公共の機関の名称を示す。住所データＢＤ２は、対応の機関名データＢＤ１で示される機関の住所を示す。連絡先データＢＤ３は、対応の機関の連絡先（電話番号、ファックス番号など）を示す。データＢＤ４は、対応の機関の営業時間を示す。
【００２９】
図３には、テレビジョン装置１００の外観と、テレビジョン装置１００を遠隔操作するためのリモコン（リモートコントローラの略）３００が示される。リモコン３００は、テレビジョン装置１００の電源のオン／オフを指示するためのスイッチ３１、チャンネルなど各種情報を指定するためのテンキー１３４、引越しモードを選択するために操作されるスイッチ３２、および故障モードを選択するために操作されるスイッチ３３などを備える。これらスイッチが操作されると、操作されたスイッチに応じたリモコンコードが赤外線変調されリモコン信号１２１として赤外線発光部３５からテレビジョン装置１００に送信される。
【００３０】
テレビジョン装置１００は、映像・文字などの各種情報を表示するための表示部１７０、音を出力するためのスピーカ１７２、赤外線発光部３５から出力された赤外線変調されたリモコン信号１２１を受信するための赤外線受光部１２０および入力部１３０を備える。入力部１３０は、テレビジョン装置１００の前面パネルに設けられて、リモコン３００に代替して情報を入力するためにユーザにより操作される。入力部１３０に与えられる指示入力（図１参照）はユーザによる操作を示す。なお、スイッチ３１の操作は電源部１４０により各部に電力が供給されている期間において有効であって、当該期間にスイッチ３１をＯＮ操作すると、表示部１７０とスピーカ１７２には、ＴＶ信号による映像や音声が出力されて、ＯＦＦ操作するとそれら出力は停止する。
【００３１】
図４を参照して、引越し、またはテレビジョン装置１００の故障時に、テレビジョン装置１００が設置されたユーザ宅の最寄りの機関または店舗の情報を提示する動作について説明する。図４に従うフローチャートは予めプログラムとしてメモリ１５０に格納されて、制御部１１０の図示のないＣＰＵ（Central Processing Unit）により読出されて実行される。
【００３２】
まず、ユーザの指示入力またはリモコン信号１２１により電源がＯＮされる（ステップＳ（以下、単にＳと略す）３）。その後、制御部１１０は、指示入力またはリモコン信号１２１による入力が入力部１３０または赤外線受講部１２０を介して有るか否かを判定する（Ｓ５）。入力があるまでは、Ｓ５の処理が繰返されるが、入力ありと判定されると（Ｓ５でＹＥＳ）、入力された指示入力またはリモコン信号１２１に基づき、スイッチ３２または３３の操作により引越しモードの指定または故障モードの指定がされたか否かを判定する（Ｓ７）。引越しモードまたは故障モードの指定がされてなければ、Ｓ２１において指示に基づく他の処理が実行されて処理は終了する。この他の処理についての詳細を略す。
【００３３】
一方、引越しモードまたは故障モードの指定が入力されると（Ｓ７でＹＥＳ）、メモリ１５０のモードデータＭを、指定されたモードを示すように更新する（Ｓ９）。
【００３４】
その後、制御部１１０は、ＧＰＳ信号処理部２０１に指示してＧＰＳデータの受信をするよう制御する。ＧＰＳ信号処理部２０１により、アンテナ２００を介して受信したＧＰＳデータは、制御部１１に与えられる（Ｓ１１）。制御部１１０においては、位置判定部２０２が、与えられたＧＰＳデータに基づき、テレビジョン装置１００の位置を判定し、判定結果を位置情報として出力する（Ｓ１３）。出力された位置情報に基づき、メッセージ処理部２０３は表示部１７０に提示するメッセージを特定する（Ｓ１５）。
【００３５】
具体的には、メッセージ処理部２０３は、位置判定部２０２から出力されたテレビジョン装置１００の現在位置を示す位置情報とメモリ１５０のモードデータＭとに基づき、テーブル１５１を検索して、該当する位置情報Ｄ１および故障モードデータＤ３（または引越しモードデータＤ４）に該当のサブテーブル１５２の名称ＭＡｉ（またはサブテーブル１５３の名称ＭＢｉ）を読出す。また、対応の市町村名データＤ２も読出す（Ｓ１５）。そして、読出したサブテーブルの名称に基づき、サブテーブル１５２の群（またはサブテーブル１５３の群）を検索し、検索したテーブル群から対応のデータＡＤ０（またはＢＤ０）のテーブルに格納された全てのレコードＲ２のデータＡＤ１〜ＡＤ４（または全てのレコードＲ３のデータＢＤ１〜ＢＤ４）を読出す（Ｓ１７）。
【００３６】
Ｓ１５で読出された市町村名データＤ２、およびＳ１７で読出されたデータＡＤ１〜ＡＤ４（またはＢＤ１〜ＢＤ４）はＯＳＤ画像生成部１８０に与えられるので、ＯＳＤ画像生成部１８０は、与えられたデータに基づく画像信号を生成して合成部１６２に与える。したがって、合成部１６２は、ＯＳＤ画像生成１８０から与えられた画像信号と制御部１１０から与えられる映像信号とを合成して、表示部１７０に合成された信号による画像が表示される（Ｓ１９）。これにより、表示部１７０には、たとえば引越しモードが指定された場合には図３のようなメッセージが画面に表示される。図３では、判定した位置情報、すなわちテレビジョン装置１００が設置されたユーザ宅の市町村名が表示されるとともに、引越しの転入または転出手続きのための情報（届出機関（市役所）の名称・住所連絡先など）が表示される。
【００３７】
以上のように引越しの場合の各種届け出先の機関の情報、またはテレビジョン装置が故障した場合の故障に対応するための情報をテレビジョン装置が位置するＧＰＳによる位置情報と関連付けて提供することができる。また、転出・転入の届け先機関は一致しているから、引越し前には転出（転居）届けをすべき機関の情報を提示することができ、引越し後の引越し先では転入届けをすべき機関の情報を提示することができる。
【００３８】
（他の実施の形態）
図４では、引越しモードであることはユーザの設定操作に拠るとしたが、自動設定としてもよい。つまり、引越しでは、テレビジョン装置１００の電源部１４０のプラグはコンセントから長期間抜かれた状態が継続することに注目すれば、引越しモードであることは、プラグが抜かれた状態が一定期間継続して、その後にプラグがコンセントに挿入されたことにより判別することができる。ここでは、引越しモードになったことを自動判定した場合の手順について図５のフローチャートに従い説明する。図５のフローチャートに従う手順は予めプログラムとしてメモリ１５０に格納されて制御部１１０の図示のないＣＰＵにより読出されて実行される。
【００３９】
まず、パワー判定部２０４は電源部１４０からの検知信号に基づきプラグがコンセントから抜かれたかを判別する（ステップＴ（以下、単にＴと略す））。抜かれたと判別されるまではＴ３の処理が繰返される。抜かれたと判別されると（Ｔ３でＹＥＳ）、ＣＰＵは補助バッテリ１２７に電力の供給開始を指示するので、補助バッテリ１２７により制御部１１０と計時回路１２６に電力供給が開始される。
【００４０】
ＣＰＵはメモリ１５０のモードデータＭおよび計時データＴを初期化する（Ｔ５）。その後、ＣＰＵは計時回路１２６からのデータを入力して、入力したデータを用いて計時データＴを更新する（Ｔ７、Ｔ１１）。この計時データＴの更新はパワー判定部２０４が電源部１４０からの検知信号に基づきプラグがコンセントに挿入されたと判定するまで（Ｔ９でＹＥＳ）、計時回路１２６から逐次出力されるデータを用いて繰返される。したがって、その後に、プラグがコンセントに挿入されたと判定されたときには（Ｔ９でＹＥＳ）計時データＴは、プラグがコンセントから抜かれていた期間を示すことになる。
【００４１】
パワー判定部２０４が電源部１４０からの検知信号に基づき、抜かれていたプラグがコンセントに挿入されたと判定すると（Ｔ９でＹＥＳ）、補助バッテリ１２７に代替して電源部１４０により各部に電力が供給される。そして、ＣＰＵはユーザがリモコン３００のスイッチ３１を操作して電源ＯＮされたか否かを判定する（Ｔ１３）。電源ＯＮされるまではＴ１３の判定を繰返すが、電源ＯＮされたことを判定すると（Ｔ１３でＹＥＳ）、ＣＰＵは計時データＴの現在値が閾値データＴＨの値以上であるか否かを、両データを比較して判定する（Ｔ１５）。閾値データＴＨは、プラグが引越しによりコンセントから抜かれていた期間を示すための時間データであり、たとえば２４時間〜４８時間の間で工場出荷時などに設定される。
【００４２】
比較結果、Ｔ≧ＴＨではないと判定されると、すなわち引越しによるプラグ引き抜き状態ではなかったと判定されると（Ｔ１５でＮＯ）後述のＴ２１の処理に移行するが、Ｔ≧ＴＨと判定されると（Ｔ１５でＹＥＳ）、ＣＰＵはモードデータＭを‘引越しモード’を示すように更新する（Ｔ１７）。そして、図４のＳ１１〜Ｓ１９のメッセージ提示処理が同様に実行される（Ｔ１９）。
【００４３】
その後、ＣＰＵは赤外線受光部１２０から入力するリモコン信号１２１に基づくリモコンコードに従いユーザがリモコン３００を操作して何らかのキー入力をしたかを判別する（Ｔ２１）。キー入力があることが判定すると（Ｔ２１でＹＥＳ）、ＣＰＵはＴ１９のメッセージは消去するように動作して、入力キーのリモコンコードに従う処理に移行する（Ｔ２３）。
【００４４】
このように、図５の手順い従えば、引越しモードであることが自動判別されて、その判別結果に基づき、電源投入時は引越しの各種届出のための情報を提示することができる。なお、引越しモードと判別されてから（Ｔ１５でＹＥＳ）、所定期間は電源ＯＮされるごとにメッセージ提示処理を実行するが、引越し後所定期間を経過した後は、メッセージ提示処理をスキップしてメッセージ提示をしないようにしてもよい。
【００４５】
また、ＧＰＳ機能を有するテレビジョン装置であれば、メモリ１５０に本実施の形態に従う各種データ、プログラムを格納することで、簡単に上述の特徴を有するテレビジョン装置を製造できる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４７】
【図１】本発明の実施の形態に係るテレビジョン装置の構成図である。
【図２】本発明の実施の形態に係るテーブルの内容例を示す図である。
【図３】本発明の実施の形態に係るリモコンとテレビジョン装置の概観を示す図である。
【図４】本発明の実施の形態に係る処理フローチャートである。
【図５】本発明の他の実施の形態に係る処理フローチャートである。
【符号の説明】
【００４８】
２０１  ＧＰＳ信号処理部、２０２  位置判定部、２０３  メッセージ処理部、２０４  パワー判定部。
【図１】
2006322769.tif 000003
【図２】
2006322769.tif 000004
【図３】
2006322769.tif 000005
【図４】
2006322769.tif 000006
【図５】
2006322769.tif 000007